(57)【特許請求の範囲】
【請求項１】
複数の基地局から送信されたスペクトル拡散信号を受信してベースバンドの受信信号を出力する受信手段と、
この受信手段から出力されるベースバンドの受信信号を前記各基地局にそれぞれ固有の拡散符号で逆拡散して各基地局からの送信信号を復調する逆拡散手段と、
この逆拡散手段で復調された各基地局の送信信号からそれぞれ送信電力制御情報を抽出する送信電力制御情報抽出手段と、
この送信電力制御情報抽出手段で抽出された各基地局からの送信電力制御情報のうちの１つが電力減少を指示し、残りが電力増大を指示している場合に、電力増大を示す全ての送信電力制御情報の軟判定値ＳＤ１の絶対値が第一のしきい値ＴＨ１より大きく、かつ電力減少を指示する送信電力制御情報の軟判定値ＳＤ２の絶対値が第二のしきい値ＴＨ２より小さい場合、送信電力の増大を判定結果とし、そうでない場合、送信電力の減少を判定結果とする判定手段と、
この判定手段での判定結果に基づいて送信電力を増大又は減少させる送信電力制御手段と
を備えたことを特徴とするＣＤＭＡ端末装置。
【請求項２】
複数の基地局から送信されたスペクトル拡散信号を受信してベースバンドの受信信号を出力する受信手段と、
この受信手段から出力されるベースバンドの受信信号を前記各基地局にそれぞれ固有の拡散符号で逆拡散して各基地局からの送信信号を復調する逆拡散手段と、
この逆拡散手段で復調された各基地局の送信信号からそれぞれ送信電力制御情報を抽出する送信電力制御情報抽出手段と、
この送信電力制御情報抽出手段で抽出された各基地局からの送信電力制御情報のうちの１つが電力減少を指示し、残りが電力増大を指示している場合に、電力増大を示す全ての送信電力制御情報の軟判定値ＳＤ１の絶対値が第一のしきい値ＴＨ１より大きく、かつ電力減少を指示する送信電力制御情報の軟判定値ＳＤ２の絶対値が第二のしきい値ＴＨ２より小さい場合、所定の確率で送信電力の増大を判定結果とし、そうでない場合、送信電力の減少を判定結果とする判定手段と、
この判定手段での判定結果に基づいて送信電力を増大又は減少させる送信電力制御手段と
を備えたことを特徴とするＣＤＭＡ端末装置。
【請求項３】
前記受信手段は、前記受信信号のゲインを調整する自動利得制御手段を含み、
前記判定手段は、前記第一及び第二のしきい値ＴＨ１，ＴＨ２を前記自動利得手段で決定されたゲインに応じて調整するものである
ことを特徴とする請求項１又は２記載のＣＤＭＡ端末装置。
【請求項４】
前記第一のしきい値ＴＨ１は、その絶対値が電力増大を指示する送信電力制御情報の送信側での軟判定値の絶対値の半分以上であることを特徴とする請求項１〜３のいずれか１項記載のＣＤＭＡ端末装置。
【請求項５】
前記第二のしきい値ＴＨ２は、その絶対値が電力減少を指示する送信電力制御情報の送信側での軟判定値の絶対値の一割以下であることを特徴とする請求項１〜３のいずれか１項記載のＣＤＭＡ端末装置。
【請求項６】
複数の基地局から送信されたスペクトル拡散信号を受信してベースバンドの受信信号を得るステップと、
前記ベースバンドの受信信号を前記各基地局にそれぞれ固有の拡散符号で逆拡散して各基地局からの送信信号を復調するステップと、
前記復調された各基地局の送信信号からそれぞれ送信電力制御情報を抽出するステップと、
抽出された各基地局からの送信電力制御情報のうちの１つが電力減少を指示し、残りが電力増大を指示している場合に、電力増大を示す全ての送信電力制御情報の軟判定値ＳＤ１の絶対値が第一のしきい値ＴＨ１より大きく、かつ電力減少を指示する送信電力制御情報の軟判定値ＳＤ２の絶対値が第二のしきい値ＴＨ２より小さい場合、送信電力を増大させ、そうでない場合には送信電力を減少させるように判定するステップと、
このステップでの判定結果に基づいて送信電力を制御するステップと
を備えたことを特徴とするＣＤＭＡ端末装置の送信電力制御方法。
【請求項７】
複数の基地局から送信されたスペクトル拡散信号を受信してベースバンドの受信信号を得るステップと、
前記ベースバンドの受信信号を前記各基地局にそれぞれ固有の拡散符号で逆拡散して各基地局からの送信信号を復調するステップと、
前記復調された各基地局の送信信号からそれぞれ送信電力制御情報を抽出するステップと、
抽出された各基地局からの送信電力制御情報のうちの１つが電力減少を指示し、残りが電力増大を指示している場合に、電力増大を示す全ての送信電力制御情報の軟判定値ＳＤ１の絶対値が第一のしきい値ＴＨ１より大きく、かつ電力減少を指示する送信電力制御情報の軟判定値ＳＤ２の絶対値が第二のしきい値ＴＨ２より小さい場合、所定の確率で送信電力を増大させ、そうでない場合には送信電力を減少させるように判定するステップと、
このステップでの判定結果に基づいて送信電力を制御するステップと
を備えたことを特徴とするＣＤＭＡ端末装置の送信電力制御方法。
【請求項８】
前記受信信号を得るステップは、前記受信信号のゲインを調整する自動利得制御ステップを含み、
前記送信電力の増大／減少を判定するステップは、前記第一及び第二のしきい値ＴＨ１，ＴＨ２を、受信信号の自動利得制御により調整されたゲインに応じて調整するものである
ことを特徴とする請求項６又は７記載のＣＤＭＡ端末装置の送信電力制御方法。
【請求項９】
前記第一のしきい値ＴＨ１は、その絶対値が電力増大を指示する送信電力制御情報の送信側での軟判定値の絶対値の半分以上であることを特徴とする請求項６〜８のいずれか１項記載のＣＤＭＡ端末装置の送信電力制御方法。
【請求項１０】
前記第二のしきい値ＴＨ２は、その絶対値が電力減少を指示する送信電力制御情報の送信側での軟判定値の絶対値の一割以下であることを特徴とする請求項６〜８のいずれか１項記載のＣＤＭＡ端末装置の送信電力制御方法。
【発明の詳細な説明】
【０００１】
【発明の属する技術分野】
本発明はＣＤＭＡ（Code Division Multiple Access：符号分割多元接続）方式を採用する携帯電話システムなどの移動無線システムに関し、特に複数の基地局とＣＤＭＡ端末装置との間で一の基地局とＣＤＭＡ端末装置との間の通信を他の基地局からＣＤＭＡ端末装置への通信へと切り替えるソフトハンドオーバー時における前記ＣＤＭＡ端末装置の送信電力制御方法及びＣＤＭＡ端末装置に関する。
【０００２】
【従来の技術】
ＣＤＭＡ（Code Division Multiple Access）通信方式は、異なる拡散符号を用いて複数の受信機が同一の周波数で通信を行なう方式であるため、隣接セルでも同一の周波数が使用できる。従って、ハンドオーバーもユーザが通信の切れ目を感じないですむように、現在通信を行っている基地局との通信が終了するまえに、ハンドオーバー先の基地局との通信を開始する、いわゆるソフトハンドオーバーが可能である。
【０００３】
ソフトハンドオーバーの状態では、移動端末は、各基地局から送信電力制御指示を独立に受信することになるので、それら複数の指示から最終判断を下すアルゴリズムが必要となる。
従来は、全ての基地局から電力増大を指示する送信電力制御情報を受信した場合には送信電力を増大し、少なくとも一つの基地局から電力減少を指示する送信電力制御情報を受信した場合には送信電力を減少させる制御を行うのが一般的であり、ＴＰＣ（Transmit Power Control）ビットからの硬判定結果に基づく制御が専ら行われていた。
【０００４】
【発明が解決しようとする課題】
しかしながら、ワイドバンドＣＤＭＡ（Ｗ−ＣＤＭＡ）等で一般にみられるように、送信電力制御情報を伝送しているＴＰＣビットは、符号化による情報伝送の保護がなされておらず、基地局と移動端末間の建物や地形の影響によって多重波伝搬路になるマルチパスフェージングや、端末内部で生ずる雑音などの影響を直接被り、ＴＰＣビットに基づいて求められた送信電力制御情報と基地局側が送信したものとが異なってしまう場合が生ずる。従って実環境において、全ての基地局から電力増大を指示する送信電力制御情報が送信された場合には送信電力を増大させ、一つ以上の基地局から電力減少を指示する送信電力制御情報が送信された場合には送信電力を減少させることを、常に実現するのは困難であった。
【０００５】
特に、移動端末に対してソフトハンドオーバー中の基地局全てが電力増大を要請しているにもかかわらず、受信信号に含まれるＴＰＣビットの誤りによって移動端末が電力減少の制御を行ってしまう事態もしばしば生じ、この場合、この移動端末の通信品質の劣化、さらには通信の切断が生ずる可能性があり、このような事態を軽減する手段が求められていた。
【０００６】
本発明は、以上の点に鑑みなされたもので、ソフトハンドオーバー時に各基地局から電力増大が要求されているにも拘わらず、受信状況によって電力減少の制御を行ってしまうことを防止することができるＣＤＭＡ端末装置およびその送信電力制御方法を提供することを目的とする。
【０００７】
【課題を解決するための手段】
上記課題を解決するため、本発明のＣＤＭＡ端末装置は、複数の基地局から送信されたスペクトル拡散信号を受信してベースバンドの受信信号を出力する受信手段と、この受信手段から出力されるベースバンドの受信信号を前記各基地局にそれぞれ固有の拡散符号で逆拡散して各基地局からの送信信号を復調する逆拡散手段と、この逆拡散手段で復調された各基地局の送信信号からそれぞれ送信電力制御情報を抽出する送信電力制御情報抽出手段と、この送信電力制御情報抽出手段で抽出された各基地局からの送信電力制御情報のうちの１つが電力減少を指示し、残りが電力増大を指示している場合に、電力増大を示す全ての送信電力制御情報の軟判定値ＳＤ１の絶対値が第一のしきい値ＴＨ１より大きく、かつ電力減少を指示する送信電力制御情報の軟判定値ＳＤ２の絶対値が第二のしきい値ＴＨ２より小さい場合、送信電力の増大を判定結果とし、そうでない場合、送信電力の減少を判定結果とする判定手段と、この判定手段での判定結果に基づいて送信電力を増大又は減少させる送信電力制御手段とを備えたことを特徴とする。
【０００８】
また、本発明に係るＣＤＭＡ端末装置の送信電力制御方法は、複数の基地局から送信されたスペクトル拡散信号を受信してベースバンドの受信信号を得るステップと、前記ベースバンドの受信信号を前記各基地局にそれぞれ固有の拡散符号で逆拡散して各基地局からの送信信号を復調するステップと、前記復調された各基地局の送信信号からそれぞれ送信電力制御情報を抽出するステップと、抽出された各基地局からの送信電力制御情報のうちの１つが電力減少を指示し、残りが電力増大を指示している場合に、電力増大を示す全ての送信電力制御情報の軟判定値ＳＤ１の絶対値が第一のしきい値ＴＨ１より大きく、かつ電力減少を指示する送信電力制御情報の軟判定値ＳＤ２の絶対値が第二のしきい値ＴＨ２より小さい場合、送信電力を増大させ、そうでない場合には送信電力を減少させるように判定するステップと、このステップでの判定結果に基づいて送信電力を制御するステップとを備えたことを特徴とする。
【０００９】
本発明によれば、複数の基地局とＣＤＭＡ端末装置との間で一の基地局とＣＤＭＡ端末装置との間の通信を他の基地局からＣＤＭＡ端末装置への通信へと切り替えるソフトハンドオーバー時に、全ての基地局からの送信電力制御情報が増大を示しているときだけでなく、各基地局からの送信電力制御情報のうちの１つが電力減少を指示し、残りが電力増大を指示している場合にも、前記各基地局からの送信電力制御情報の軟判定値に基づいて送信電力を増大させるか減少させるかを決定するようにしているので、受信状況によって誤って電力減少の制御を行ってしまう確率を減少させることができる。
【００１０】
また、この場合、直ちに送信電力を増大と決定するのではなく、所定の確率で送信電力の増大を判定結果とするようにしても良い。
【００１１】
前記第一のしきい値ＴＨ１としては、電力増大の指示の確度が高いことが、電力増大を決定するための判断材料となるため、例えばその絶対値が電力増大を指示する送信電力制御情報の送信側での軟判定値（ノイズ印加、フェージング変動等が加わっていない本来の値）の絶対値の半分以上であるように決定することができる。
【００１２】
また、第二のしきい値ＴＨ２としては、電力減少の指示の確度が低いことが、電力増大を決定するための判断材料となるため、例えばその絶対値が電力減少を指示する送信電力制御情報の送信側での軟判定値（ノイズ印加、フェージング変動等が加わっていない本来の値）の絶対値の半分以下、好ましくは一割以下であるように決定することができる。
【００１３】
なお、受信信号に自動利得制御がなされている場合、これら第一及び第二のしきい値ＴＨ１，ＴＨ２を、自動利得制御により調整されたゲインに応じて調整するようにしても良い。これにより、しきい値ＴＨ１，ＴＨ２を軟判定値のダイナミックレンジに合わせて調整することができる。
【００１４】
【発明の実施の形態】
以下、本発明の実施の形態について図面を参照して説明する．
［第一の実施形態］
図１は、本発明の第一の実施形態に係るＣＤＭＡ通信システムの構成を示すブロック図である。このシステムは、ＣＤＭＡ移動端末であるＣＤＭＡ端末装置ＭＳが基地局ＢＳ１及びＢＳ２とソフトハンドオーバー（以下、ＳＨＯと呼ぶ）を行って、各基地局ＢＳ１及びＢＳ２とＣＤＭＡ端末装置ＭＳとの間の通信を切り替えるようにしたものである。各基地局ＢＳ１，ＢＳ２からは、ＣＤＭＡ端末装置ＭＳに向けて図２に示すようなフレーム構造の個別下り物理チャネルの信号が送信されている。各フレームは、１５のスロット＃０〜＃１４からなり、各スロット＃ｉは、Ｄａｔａ１、ＴＰＣ（Transmit Power Controlけ：送信電力制御）ビット、ＴＦＣＩ（Transport Format Combination Indicator：送信フレーム情報）ビット、Ｄａｔａ２及びＰｉｌｏｔから構成されている。ＴＰＣビットは、２，４又は８ビットの多値のデータからなる。そして、ＣＤＭＡ端末装置ＭＳでは、各基地局ＢＳ１，ＢＳ２から送られてきたＴＰＣビットから得られる硬判定値（二値を基準とした判定値）及び軟判定値（多値を基準とした判定値）を用いて自らの送信電力を決定する。
【００１５】
図３は、本実施形態に係るＣＤＭＡ端末装置ＭＳの構成を示すブロック図である。
基地局ＢＳ１及びＢＳ２から送信されたスペクトル拡散信号は、アンテナ１０で受信され、送受信分離部１１を経て、受信無線部１２に入力される。受信無線部１２において、受信信号は、図示しないフィルタ、Ａ／Ｄ（アナログ／ディジタル）変換器等を経てベースバンドのディジタル信号となって出力される。受信無線部１２から出力された受信ディジタル信号は、逆拡散部１３Ａ及び１３Ｂにおいてそれぞれ基地局ＢＳ１及びＢＳ２に固有のスクランブリングコードがかけられた後、それぞれチャネライゼーションコードによって逆拡散され、基地局ＢＳ１及びＢＳ２から送信された信号として復調される。
【００１６】
送信電力制御ビット抽出部１４は、逆拡散部１３Ａ及び１３Ｂの出力信号から基地局ＢＳ１及びＢＳ２が送信したＴＰＣビットをそれぞれ抽出し、このＴＰＣビットを判定部１５に供給する。判定部１５は、例えば送信電力制御硬判定部１５Ａ及び送信電力制御軟判定部１５Ｂから構成されてといる。送信電力制御硬判定部１５Ａは、基地局ＢＳ１及びＢＳ２が送信したＴＰＣビットに基づいて、それらの硬判定値が両方共電力増大を指示している場合に送信電力を増大させることを決定し、送信電力制御部１６に伝えるが、それ以外の場合、即ち硬判定値が電力減少を指示している場合には、これを送信電力制御軟判定部１５Ｂに伝える。送信電力制御軟判定部１５Ｂは、それを受けて基地局ＢＳ１及びＢＳ２が送信したＴＰＣビットに基づいて得られた軟判定値の片方が電力増大を要請しており、かつその軟判定値の絶対値が第一のしきい値より大きく、もう片方が電力減少を要請しておりかつその軟判定値の絶対値が第二のしきい値より小さいならば、送信電力を増大させることを決定し、これを送信電力制御部１６に伝え、それ以外の場合は送信電力を減少させることを決定し、これを送信電力制御部１６に伝える。送信電力制御部１６は、伝えられた決定に従って、送信無線部１７を制御する。
【００１７】
本実施形態のＣＤＭＡ端末装置ＭＳと従来の装置との最大の相違点は、従来は、送信電力制御硬判定部１５Ａのみで送信電力制御を判断していたのに対し、本実施形態のＣＤＭＡ端末装置ＭＳでは、これに加えて送信電力制御軟判定部１５Ｂを設け、そこでの判定値も送信電力制御の判断に加えている点である。
【００１８】
ここで軟判定値ＳＤ１，ＳＤ２は、ＴＰＣビットから例えば次のようにして算出することができる。
すなわち、基地局ＢＳ１及びＢＳ２から各々送信された図２に示される２，４又は８ビットの各ＴＰＣビットの軟判定値を基地局別に全て加算するか、または、加算平均することによって得られた値をそれぞれの基地局ＢＳ１，ＢＳ２に対応させてＳＤ１，ＳＤ２とする。
【００１９】
（加算平均の例）
ＴＰＣビットの軟判定値が−１以上＋１以下なら、ＴＰＣビットが２ビットの場合、ＳＤ１＝（０．７＋０．５）／２＝０．６、ＳＤ２＝（−０．６−０．３）／２＝−０．４５とすれば、−１≦ＳＤ１、ＳＤ２≦１となる。
【００２０】
図４は、送信電力制御硬判定部１５Ａ及び送信電力制御軟判定部１５Ｂでの判定基準を示している。いま、各基地局ＢＳ１，ＢＳ２から受信するＴＰＣビットから得られる軟判定値ＳＤ１，ＳＤ２のダイナミックレンジが例えば−１から１の間の値をとり、軟判定値ＳＤ１，ＳＤ２が共に負なら電力増大を、それ以外は電力減少を、そのＴＰＣビットを送信した基地局が要請することになっているとする。ＴＰＣビットを受ける端末装置ＭＳ側では、従来は、硬判定値による制御のみを行っていたので、受信されたＴＰＣビットの軟判定値ＳＤ１，ＳＤ２が（負，負）である場合、つまり図４の第３象限に含まれる場合にのみ電力増大を指示していた。しかし、本実施形態では、図４のハッチングで示すように、第３象限に加え、軟判定値ＳＤ１，ＳＤ２が（負，正）、（正，負）である第２象限及び第４象限に含まれている場合でも、▲１▼ＳＤ１＜ＴＨ１で且つＳＤ２＜ＴＨ２を満たす場合、又は▲２▼ＳＤ２＜ＴＨ１で且つＳＤ１＜ＴＨ２を満たす場合には、電力増大を指示するように制御がなされる。
【００２１】
ここで、第一のしきい値ＴＨ１としては、それより小さい負の軟判定値のＴＰＣビットが信頼度の高い送信電力制御情報を意味している（電力増大指示の確度が高い）と判断できるように、例えば、軟判定値の負のダイナミックレンジの中間値である、―０．５とし、第二のしきい値ＴＨ２としては、それより小さい正の軟判定値のＴＰＣビットが信頼度の低い送信電力制御情報を意味している（電力減少指示の確度が低い）と判断できるように、例えば、軟判定値の正のダイナミックレンジの１０%値である、０．１とする等が考えられる。しかし、本発明は、特にこれに限定されるものではなく、極端なケースとしては、ＴＨ１＝―ＴＨ２と設定すること等も考えられる。
【００２２】
次に、図５のフローチャートに基づいて、このＣＤＭＡ端末装置ＭＳによる送信電力制御のアルゴリズムを具体的に説明する。
まず、端末装置ＭＳは、送信電力制御ビット抽出部１４において、基地局ＢＳ１及びＢＳ２それぞれから受信したＴＰＣビットから軟判定値ＳＤ1及びＳＤ２を算出する（ステップＳ１１）。次に、送信電力制御硬判定部１５Ａにおいて、ＳＤ１及びＳＤ２が両方共負であるか判定し（ステップＳ１２）、その場合には送信電力制御部１６に送信電力増大を指示する（ステップＳ１５）。軟判定値ＳＤ１及びＳＤ２の少なくとも一方が正である場合、送信電力制御軟判定部１５Ｂにおいて判定処理が行われ、ＳＤ１が負でありかつ第一のしきい値ＴＨ１（＜０）より小さく、ＳＤ２が負でないが第二のしきい値ＴＨ２（＞０）より小さい場合（ステップＳ１３）、又はＳＤ２が負でありかつ第一のしきい値ＴＨ１（＜０）より小さく、ＳＤ１が負でないが第二のしきい値ＴＨ２（＞０）より小さい場合（ステップＳ１４）には、送信電力の増大を決定する（ステップＳ１５）。そうでない場合は送信電力を減少させる（ステップＳ１６）。
【００２３】
［第二の実施形態］
図６は、本発明の第二の実施形態に係るＣＤＭＡ端末装置ＭＳによる送信電力制御のアルゴリズムを示すフローチャートである。
この第二の実施形態が先に述べた第一の実施形態と異なる点は、図５に示した処理のステップＳ１３，Ｓ１４とステップＳ１５との間に、新たにステップＳ２１が挿入されている点である。他の部分は、第一の実施形態と同様であるため、重複する部分の詳しい説明は割愛する。
【００２４】
即ち、ステップＳ１２における判定で、軟判定値ＳＤ１及びＳＤ２の少なくとも一方が正である場合、送信電力制御軟判定部１５Ｂにおいて判定処理が行われ、ＳＤ１が負でありかつ第一のしきい値ＴＨ１（＜０）より小さく、ＳＤ２が負でないが第二のしきい値ＴＨ２（＞０）より小さい場合（ステップＳ１３）、又はＳＤ２が負でありかつ第一のしきい値ＴＨ１（＜０）より小さく、ＳＤ１が負でないが第二のしきい値ＴＨ２（＞０）より小さい場合（ステップＳ１４）には、直ちに送信電力の増大を決定するのではなく、ステップＳ２１において、乱数または周期的な処理等を用いて、ステップＳ２１にきた場合のうちの所定の割合で送信電力の増大を決定したり（ステップＳ１５）、送信電力の減少を決定したりする（ステップＳ１６）。これにより、曖昧な場合の判定結果を、一つに固定するのではなく、ある確率で分散させることができる。
【００２５】
［第三の実施形態］
図７は、本発明の第三の実施形態に係るＣＤＭＡ端末装置ＭＳの構成を示すブロック図である。
このＣＤＭＡ端末装置ＭＳでは、受信無線部２２に自動利得制御回路２８が設けられ、自動利得制御回路２８では受信信号が、その電力変動が小さくなるようなゲインを乗ぜられる。このゲインは、送信電力制御軟判定部２５Ｂに供給され、前述した第一及び第二のしきい値ＴＨ１，ＴＨ２が、供給されたゲインによって正規化される。その他の構成であるアンテナ２０、送受信分離部２１、逆拡散部２３Ａ，２３Ｂ、送信電力制御ビット抽出部２４、判定部２５、送信電力制御硬判定部２５Ａ、送信電力制御部２６及び送信無線部２７は、図３に示したアンテナ１０、送受信分離部１１、逆拡散部１３Ａ，１３Ｂ、送信電力制御ビット抽出部１４、判定部１５、送信電力制御硬判定部１５Ａ、送信電力制御部１６及び送信無線部１７と同様の構成であるため、詳しい説明は割愛する。
【００２６】
図８は、本実施形態に係るＣＤＭＡ端末装置ＭＳによる送信電力制御のアルゴリズムを示すフローチャートである。
この第三の実施形態が第一の実施形態と異なる点は、図５のステップＳ１１とステップＳ１２との間に第一及び第二のしきい値ＴＨ１，ＴＨ２を決めるためのステップＳ３１が挿入されている点である。
即ち、自動利得制御回路２８でゲイン調節をしない場合（gain=１の場合）に各基地局から受信するＴＰＣビットから得られる軟判定値のダイナミックレンジが例えば−１から１の間の値をとり、軟判定値が負なら電力増大を、それ以外は電力減少をそのＴＰＣビットを送信した基地局が要請することになっているとする。
【００２７】
図８のステップＳ１１において、基地局ＢＳ１及びＢＳ２それぞれから受信した信号が自動利得制御を経た後の信号のＴＰＣビットから軟判定値ＳＤ１及びＳＤ２を算出した後、ステップＳ３１において、上記自動利得制御で受信信号に乗ぜられた係数gainに応じて、第一のしきい値ＴＨ１をＴＨ１＝ＴＨ１＿０×gain、第二のしきい値ＴＨ２をＴＨ２＝ＴＨ２＿０×gainと決定する。ここで、ＴＨ１＿０及びＴＨ２＿０は後述するように、あらかじめ定めた所定の定数である。以後のステップＳ１２以降の処理は、図５の処理と同様であるため、重複する説明は割愛する。
【００２８】
ここで、ＴＨ１＿０としては、それより小さい負の軟判定値のＴＰＣビットが信頼度の高い送信電力制御情報を意味している（電力増大指示の確度が高い）と判断できるように、例えば、ゲイン調節をしなかった場合の軟判定値の負のダイナミックレンジの中間値に相当する、―０．５とし、ＴＨ２＿０としては、それより小さい正の軟判定値のＴＰＣビットが信頼度の低い送信電力制御情報を意味している（電力減少指示の確度が低い）と判断できるように、例えば、ゲイン調節をしなかった場合の軟判定値の正のダイナミックレンジの１０%値に相当する、０．１とする等が考えられる。しかし、本発明は、特にこれに限定されるものではなく、極端なケースとしては、ＴＨ１＿０＝―ＴＨ２＿０と設定すること等も考えられる。
【００２９】
［第四の実施形態］
図９は、本発明の第四の実施形態に係るＣＤＭＡ端末装置ＭＳによる送信電力制御のアルゴリズムを示すフローチャートである。
この第四の実施形態が先に述べた第三の実施形態と異なる点は、図８に示した処理のステップＳ１３，Ｓ１４とステップＳ１５との間に、第二の実施形態で説明したステップＳ２１が挿入されている点である。他の構成は第三の実施形態と同様であるため、重複する部分の詳しい説明は割愛する。
【００３０】
即ち、ステップＳ１２における判定で、軟判定値ＳＤ１及びＳＤ２の少なくとも一方が正である場合、送信電力制御軟判定部１５Ｂにおいて判定処理が行われ、ＳＤ１が負でありかつ第一のしきい値ＴＨ１（＜０）より小さく、ＳＤ２が負でないが第二のしきい値ＴＨ２（＞０）より小さい場合（ステップＳ１３）、又はＳＤ２が負でありかつ第一のしきい値ＴＨ１（＜０）より小さく、ＳＤ１が負でないが第二のしきい値ＴＨ２（＞０）より小さい場合（ステップＳ１４）には、直ちに送信電力の増大を決定するのではなく、ステップＳ２１において、乱数または周期的な処理等を用いて、ステップＳ２１にきた場合のうちの所定の割合で送信電力の増大を決定したり（ステップＳ１５）、送信電力の減少を決定したりする（ステップＳ１６）。これにより、曖昧な場合の判定結果を、一つに固定するのではなく、ある確率で分散させることができる。
【００３１】
なお、以上の各実施形態では、基地局が２つの場合のＳＨＯについて説明したが、基地局が３つ以上のＳＨＯの場合にも本発明が適用可能であることは言うまでもない。図１０は、基地局が３つの場合の軟判定値ＳＤ１，ＳＤ２，ＳＤ３とその電力増大指示域を三次元的に示している。このように、３つ以上の基地局とのＳＨＯにおいても、判定基準となるしきい値は常に２つとなる。
【００３２】
【発明の効果】
以上述べたように、本発明によれば、ＳＨＯ時に受信した送信電力制御情報に対して、硬判定結果に加えて軟判定結果も用いて送信電力制御を行うようにしているので、電力減少を要請すると判断された基地局から受信した送信電力制御情報の信頼度が低く、電力増大を要請する残りの基地局から受信した送信電力制御情報の信頼度が高いと判定された場合に、無条件にまたはある確率で送信電力の増大制御を行うことで、ＳＨＯに関わる全ての基地局がある端末に対して送信電力の増大を求めているにも拘わらず、一つの基地局から送信されたＴＰＣビットのエラーによって送信電力を減少させて当該端末の通信品質が劣化するという問題を回避することができる。
【図面の簡単な説明】
【図１】  本発明の第一の実施形態に係るＣＤＭＡ通信システムの構成を示すブロック図である。
【図２】  同システムで基地局からＣＤＭＡ端末装置に送信される個別下り物理チャネルの信号のフレーム構成を示す図である。
【図３】  同システムにおけるＣＤＭＡ端末装置の構成を示すブロック図である。
【図４】  同システムにおける軟判定値と送信電力制御との関係を示す図である。
【図５】  同システムにおけるＣＤＭＡ端末装置による送信電力制御のアルゴリズムを示すフローチャートである。
【図６】  本発明の第二の実施形態に係るＣＤＭＡ端末装置による送信電力制御のアルゴリズムを示すフローチャートである。
【図７】  本発明の第三の実施形態に係るＣＤＭＡ端末装置の構成を示すブロック図である。
【図８】  同ＣＤＭＡ端末装置による送信電力制御のアルゴリズムを示すフローチャートである。
【図９】  本発明の第四の実施形態に係るＣＤＭＡ端末装置による送信電力制御のアルゴリズムを示すフローチャートである。
【図１０】  基地局が３台の場合のＣＤＭＡ端末装置による軟判定値と送信電力制御との関係を示す図である。
【符号の説明】
１０、２０  アンテナ
１１、２１  送受信分離部
１２、２２  受信無線部
１３Ａ、１３Ｂ、２３Ａ、２３Ｂ  逆拡散部
１４、２４  送信電力制御ビット抽出部
１５、２５  判定部
１５Ａ、２５Ａ  送信電力制御硬判定部
１５Ｂ、２５Ｂ  送信電力制御硬判定部
１６、２６  送信電力制御部
１７、２７  送信無線部
２８  自動利得制御回路
【図１】
0003723121.tif 000002
【図２】
0003723121.tif 000003
【図３】
0003723121.tif 000004
【図４】
0003723121.tif 000005
【図１０】
0003723121.tif 000006
【図５】
0003723121.tif 000007
【図６】
0003723121.tif 000008
【図７】
0003723121.tif 000009
【図８】
0003723121.tif 000010
【図９】
0003723121.tif 000011